(57)【要約】【課題】針金や紐等の不正解錠手段によって、サムターン装置のサムターン軸が解錠方向に回動できないようにした、サムターン装置とそのサムターン装置を備えた扉錠の提供。【解決手段】サムターン装置１０は、先端部１４ａがハブ４に接続されるサムターン軸１４と、このサムターン軸１４を回動自在に軸受する外筒１１と、サムターン軸１４の基端部に設けられサムターン軸１４を回動させるための摘み３０とを備える。摘み３０は、サムターン軸１４に対して傾倒可能とされている。サムターン軸１４の基端部のフランジ部１４ｂには、室内側に突出して一対の軸受突部２０が、互いに離間して一体形成されており、摘み３０は、この軸受突部２０，２０に差込まれるピン２６に、回動可能に取り付けられる。【選択図】      図４
2004162257.tif 000002
【特許請求の範囲】
【請求項１】
摘みの回動操作によりサムターン軸を回動させ、そのサムターン軸の回動動作でデッドボルトを進退させるサムターン装置であって、
前記摘みは、サムターン軸に対して傾倒可能に保持されている
ことを特徴とするサムターン装置。
【請求項２】
前記サムターン軸の基端部には、突部が基端側に突出して形成されており、
その突部と摘みは、ピンを介して接続されており、
摘みは、ピン周りにサムターン軸の基端面に沿うように傾倒可能とされた
ことを特徴とする請求項１に記載のサムターン装置。
【請求項３】
前記摘みは、その外周縁が丸みを帯びて滑らかに面取りされた形状である
ことを特徴とする請求項１又は請求項２に記載のサムターン装置。
【請求項４】
扉表面には、摘みとサムターン軸を取り囲むように略筒状のカラーが摘みの高さまで延出して設けられている
ことを特徴とするサムターン装置、又は、請求項１から請求項３までのいずれかに記載のサムターン装置。
【請求項５】
サムターン軸の基端面に沿うように傾倒された状態の摘みの高さまで、前記カラーが延出されている
ことを特徴とする請求項４に記載のサムターン装置。
【請求項６】
前記摘みが、傾倒状態において、サムターン軸の基端部の外周と前記突部の基端面とで規定された空間に収納される
ことを特徴とする請求項２に記載のサムターン装置。
【請求項７】
摘みの回動操作によりサムターン軸を回動させ、そのサムターン軸の回動動作でデッドボルトを進退させるサムターン装置であって、
サムターン軸には、前記摘みが相対回動自在に設けられており、
この摘みに形成された係合部と係脱可能な被係合部が形成されたクラッチ部材が、サムターン軸と一体回動可能に設けられ、
前記摘みは、前記クラッチ部材から離間して、その係合部を前記被係合部から離脱するよう、付勢手段により付勢されている
ことを特徴とするサムターン装置。
【請求項８】
請求項１から請求項７までのいずれかに記載のサムターン装置を備えたことを特徴とする扉錠。
【発明の詳細な説明】
【０００１】
【発明の属する技術分野】
本発明は、不正な解錠を防止できるサムターン装置とそのサムターン装置を備えた扉錠に関するものである。
【０００２】
【従来の技術】
従来、この種の扉錠においては、扉の不正解錠行為の一つとして、扉錠を取り付けた扉と扉枠との隙間（いわゆるチリ）に針金や紐等の不正解錠手段を挿入し、この不正解錠手段で室内側に取り付けてあるサムターン装置のサムターン軸を解錠方向に回動して、デッドボルトを後退して解錠するという、不正解錠行為が知られている。
【０００３】
【発明が解決しようとする課題】
しかしながら、上記のような不正解錠行為に対して、本願出願人が知るところでは、適切に対応した技術は存在しない。
【０００４】
本発明は、上記従来の問題を解決しようとするものであり、簡単な構成により上記針金や紐等の不正解錠手段によっても、サムターン装置のサムターン軸が解錠方向に回動できないようにして、不正解錠できないサムターン装置とそのサムターン装置を備えた扉錠を提供することを目的とする。
【０００５】
【課題を解決するための手段】
上記目的を達成するために、本発明は、摘みの回動操作によりサムターン軸を回動させ、そのサムターン軸の回動動作でデッドボルトを進退させるサムターン装置であって、前記摘みは、サムターン軸に対して傾倒可能に保持されていることを特徴とする。
【０００６】
また、好ましくは上記構成に加えて、前記サムターン軸の基端部には、突部が基端側に突出して形成されており、その突部と摘みは、ピンを介して接続されており、摘みは、ピン周りにサムターン軸の基端面に沿うように傾倒可能とされたことを特徴とするサムターン装置である。
【０００７】
また、好ましくは上記構成に加えて、前記摘みは、その外周縁が丸みを帯びて滑らかに面取りされた形状であることを特徴とするサムターン装置である。
【０００８】
また、好ましくは上記構成に加えて、扉表面には、摘みとサムターン軸を取り囲むように略筒状のカラーが摘みの高さまで延出して設けられていることを特徴とするサムターン装置である。
【０００９】
また、好ましくは上記構成に加えて、サムターン軸の基端面に沿うように傾倒された状態の摘みの高さまで、前記カラーが延出されていることを特徴とするサムターン装置である。
【００１０】
また、好ましくは上記構成に加えて、前記摘みが、傾倒状態において、サムターン軸の基端部の外周と前記突部の基端面とで規定された空間に収納されることを特徴とするサムターン装置である。
【００１１】
また、上記目的を達成するために、本発明は、摘みの回動操作によりサムターン軸を回動させ、そのサムターン軸の回動動作でデッドボルトを進退させるサムターン装置であって、サムターン軸には、前記摘みが相対回動自在に設けられており、この摘みに形成された係合部と係脱可能な被係合部が形成されたクラッチ部材が、サムターン軸と一体回動可能に設けられ、前記摘みは、前記クラッチ部材から離間して、その係合部を前記被係合部から離脱するよう、付勢手段により付勢されていることを特徴とする。
【００１２】
さらに、本発明は、上記いずれかのサムターン装置を備えた扉錠である。
【００１３】
【発明の実施の形態】
以下、本発明の扉錠とそのサムターン装置について、実施例に基づき更に詳細に説明する。
【００１４】
図１は、本発明の扉錠とそのサムターン装置の第１実施例を示す図であり、扉錠の縦断面図である。また、図２は、図１の扉錠を戸先側から見た側面図であり、図３は、図２の扉錠を室内側から見た正面図である。
【００１５】
扉錠１は、箱状の錠ケース２を備えている。錠ケース２は、扉１００の戸先側端部の上下方向中央部に埋設される。図１に示すように、錠ケース２のフロント裏板７が錠ケース取付ネジ９ａにより扉１００の戸先側端部に固定される。また、フロント裏板７にフロント板８が重ね合わされてフロント取付ネジ９ｂにより固定される。
【００１６】
錠ケース２には、扉１００を施解錠するデッドボルト３が設けられている。デッドボルト３は、錠ケース２の戸先側端面から出没可能とされており、そのデッドボルト３を出没させるためのハブ４やクリックモーション用バネ５等の出没操作機構が錠ケース２に内蔵されている。なお、ハブ４は、ハブ取付部材６に回動可能に取り付けられる。
【００１７】
また、デッドボルト３は、図２，３に示すように、錠ケース２に連結するように取り付けられた室内側のサムターン装置１０の操作又は室外側のシリンダー５０を鍵Ｋにより操作することで出没、つまり前進又は後退が可能とされている。
【００１８】
図１に示すように、錠ケース２の側壁２ａ，２ａには、細長い案内孔２ｂ，２ｂが穿設されており、この案内孔２ｂにデッドボルト３の後部に固定したピン３ａが、案内孔２ｂ，２ｂに沿って摺動可能に嵌挿されている。また、デッドボルト３の後方上部に形成された凹溝状の被係合部３ｂに、回動動作するハブ４の凸状係合部４ａを係合するか否かにより、デッドボルト３が前進又は後退位置で保持される。
【００１９】
図４は、図２の扉錠の縦断面図であり、扉の厚さ方向に沿った面で切断した状態を示している。
図４に示すように、サムターン装置１０は、その先端部（１４ａ）が前記ハブ４に接続されるサムターン軸１４と、このサムターン軸１４を回動自在に軸受する外筒１１と、サムターン軸１４の基端部に設けられサムターン軸１４を回動させるための摘み３０とを備える。
【００２０】
外筒１１には、サムターン軸１４を嵌挿するサムターン軸嵌挿孔１２が形成されている。
また、外筒１１は、サムターン軸嵌挿孔１２を有する筒状の外筒主体１１Ａと、この外筒主体１１Ａの端部を被蓋し、前記サムターン軸嵌挿孔１２の一部を有するリング体１１Ｂとで構成してある。外筒主体１１Ａとリング体１１Ｂとはネジ１３で固定し、その外周は略円筒状のカラー１６で被覆してある。
【００２１】
サムターン軸１４は、その先端部１４ａをハブ４のハブ孔４ｂに回動方向に対して遊びがない状態で係合している。したがって、摘み３０を人間の手で把持して解錠方向に回動すると、前記サムターン軸１４の先端部１４ａがハブ４を介してデッドボルト３を後退させ解錠状態とする。逆に、摘み３０を把持して施錠方向に回動すると、前記サムターン軸１４の先端部１４ａがハブ４を介してデッドボルト３を前進させ施錠状態とする。
【００２２】
サムターン軸１４には、フランジ部１４ｂが一体形成されており、このフランジ部１４ｂが、外筒１１に固定のリング体１１Ｂの一端面に当接される。また、サムターン軸１４は、リング体１１Ｂの他端面に当接してリテーナー等の係止部材１７により保持される。
【００２３】
シリンダー５０は、従来公知の構成を採用できる。
例えば、図４に示すように、シリンダー５０は、扉１００に貫通した取付孔１０１に前記サムターン装置１０と同軸的に取り付けてあり、公知の如く、鍵孔５２を有する内筒５１と、内筒５１を回動可能に嵌挿した外筒５３と、外筒５３を被覆するカラー５４とを備えている。また、内筒５１と外筒５３とには、複数の下ピン孔５５又は上ピン孔５６が両者が連通するように形成され、下ピン孔５５に下ピン５７が上ピン孔５６に上ピン５８がそれぞれ挿入され、鍵Ｋを鍵孔５２に差し込んでいない状態、又は鍵が適合していない状態のときには、ピンバネ５９の付勢力によって上下両ピンの境界線は、内筒５１と外筒５３のシェアラインと不一致であるため、内筒５１を動かすことができない。鍵孔５２に適合する鍵Ｋを挿入した場合には、上下両ピンの境界線とシェアラインとが一致するため内筒５１を回動することができ、デッドボルト３を出没して施解錠できるようになっている。なお、ハブ４を操作するための操作杆６０が内筒５１の室内側端部に設置されている。この操作杆６０とハブ４のハブ孔４ｂとの係合状態は、回動方向に約９０°のアソビを設けるようにして係合してある。このことにより、シリンダー５０の操作杆６０とは無関係に、サムターン装置１０によってデッドボルト３の出没作動を行うことができる。
【００２４】
図５は、本発明のサムターン装置に設けられる摘みの構造を示す分解斜視図である。
本実施例のサムターン装置１０に設けられる摘み３０は、サムターン軸１４に対して傾倒可能とされている。
【００２５】
サムターン軸１４の基端部（室内側端部）には、略円板状に拡径した前記フランジ部１４ｂが一体形成されている。上述したように、このフランジ部１４ｂの室外側端面は、リング体１１Ｂの室内側端面に当接して、位置決めを図っている。
【００２６】
このフランジ部１４ｂの室内側端面には、室内側に突出して一対の軸受突部２０が、互いに離間して一体形成されている。この一対の軸受突部２０は、フランジ部１４ｂの直径方向に対向した位置に、かつ軸心から等距離の位置に配置されている。さらに、各軸受突部２０には、前記直径方向に沿って軸受穴２０ａ，２０ａが形成されている。つまり、この軸受穴２０ａは、各軸受突部２０，２０の対応した位置に同軸上に形成されている。
【００２７】
また、フランジ部１４ｂの中心からサムターン軸１４に向かって、凹部１４ｃが形成されている。
凹部１４ｃには、バネ２２及び係止部材２４（ここでは球）が収容される。そして、後述する摘み３０の摘み差込部３２が、係止部材２４を介してバネ２２の付勢力が常に作用する状態で、摘み３０がピン２６によってサムターン軸１４のフランジ部１４ｂに取り付けられる。
【００２８】
摘み３０は、摘み本体３１と摘み差込部３２とを備える。摘み本体３１は、略矩形板状で、その一端面の中央部には、略矩形板状に外方に突出して摘み差込部３２が一体形成されている。
【００２９】
摘み差込部３２には、図５において上下方向（摘み差込部３２の突出方向に直交し、かつ板面に沿う方向）にピン２６が差し込まれる穴３２ａが形成されている。また、摘み差込部３２の突出先端面には、前記球２４の一部を受け入れ可能な略半球状の凹部３２ｂが形成されている。
【００３０】
摘み本体３１は、摘み差込部３２が軸受突部間２０，２０に差込まれ、軸受突部２０の軸受穴間２０ａ，２０ａに通されるピン２６が、摘み差込部３２の穴３２ａに通される。これにより、摘み本体３１は、ピン２６を軸として回動可能であり、フランジ部１４ｂひいてはサムターン軸１４に対して傾倒可能に取り付けられる。
【００３１】
図６は、フランジ部１４ｂに摘み３０を取り付けた状態を示す一部断面図であり、（ａ）は、摘み３０を起した状態を示す図であり、（ｂ）は、摘み３０を倒した状態を示す図である。
【００３２】
図６（ａ）に示すように、摘み３０を起している状態では、摘み差込部３２に形成された前記凹部３２ｂに球２４の一部がバネ２２の付勢力により嵌合するので、この状態に安定して保持される。
この状態では、力を加えれば摘み本体３１を傾倒させることが可能であるものの、基本的には摘み本体３１は、起立した状態で安定して保持され、勝手に傾倒することがない。
この状態で、摘み本体３１を手で回動させれば、これに追随してサムターン軸１４も回動させ、ハブ４を回動させることができる。そして、これに伴いデッドボルト３を出没作動して、施解錠することが可能となる。
【００３３】
一方、図６（ａ）の状態から（ｂ）に示すように、摘み３０を傾倒させるよう力を加えると、球２４はバネ２２の付勢力に対抗して凹部１４ｃに押し込まれ、摘み差込部３２に形成された凹部３２ｂから離脱する。そして、同図（ｂ）に示すように、完全な傾倒状態では、球２４は摘み差込部３２の側端面に当接して付勢することになる。
【００３４】
このように、摘み３０は、サムターン軸１４の基端面に沿う位置まで傾倒することが可能である（図６（ｂ））。
なお、球２４と前記ピン２６とは、一直線上に配置されるので、摘み本体３１は、倒れた状態のままで保持され、勝手に起立することはない。
【００３５】
また、図５，６に示すように、摘み本体３１及び摘み差込部３２を、角部を無くすように面取りして丸みを帯びた形状にし、さらに、その両側端面を傾斜面にすることが好ましい。
これにより、針金等を摘み本体に引っ掛けて解錠しようとしても、針金は、引っ掛ることなく、摘み本体３１の表面上を滑ってしまい、不正解錠することを一層困難にできる。なお、軸受突部２０も同様に、面取りして丸みを帯びた形状としてもよい。
【００３６】
本実施例のサムターン装置１０を使用した場合の不正解除の防止方法について説明する。
図７は、図２の状態から摘みを回動させて施錠した状態を示す図であり、図８は、図７を室内側から見た正面図である。
また、図９は、図７の状態から摘みを傾倒させた状態を示す図であり、図１０は、図９を室内側から見た正面図である。
【００３７】
図２，３の解錠状態から施錠する際には、摘み本体３１を起した状態で、例えば時計方向に回転させると、図７，８に示すように、デッドボルト３が突出し施錠状態となる。
この施錠状態において、図９，１０に示すように、摘み本体３１は上方へ傾倒しておく。
【００３８】
この施錠状態において、扉と扉枠との隙間から針金等を挿入して、摘み本体３１を図８に示すＡの位置から針金等で押し上げて回動させようとした場合、針金等で摘み本体３１をいくら回動させようとしても摘み本体３１は傾倒しているので、摘み本体３１を回動させることができず、不法に解錠することができない。さらに、摘み本体３１は、面取りされて丸味を帯びていることで、針金で押したり引っ掛けたりして、摘み本体３１を起立させようとしても、摘み本体３１の表面上を滑ってしまい起立させることはできない。たとえ摘み本体３１を傾倒し忘れた起立状態でも、上記の如く、摘み本体３１を回動させることは極めて困難である。
【００３９】
本実施例では、摘み本体３１を倒した状態でも、室外からシリンダー５０に鍵Ｋを差し込んで回せば施錠することができる。よって、外出時に、摘み本体３１を傾倒させておけば、防犯に備えることができる。
【００４０】
図１１は、カラー１６が、傾倒させた摘み本体３１をカラー１６内に収納する状態の高さまで延出した状態を示す図であり、（ａ）は、摘み本体３１が起立している状態を示す側面図であり、（ｂ）は、摘み本体３１が傾倒している状態を示す図である。
【００４１】
図１１に示すように、上記実施例の構成に加えて、不正解錠を防ぐ手段として、カラー１６の周側壁を、摘み３０を取り囲む高さにまで形成することができる。
好ましくは、図１１（ｂ）に示すように、カラー１６の周側壁を上記実施例における摘み本体３１が倒れた状態と同等の高さに形成するのがよい。これにより、カラー１６の高さをあまり高くする必要がなく、見た目にも美しい。
【００４２】
カラー１６で摘み本体３１を取り囲むことで、針金等で解錠しようとしても、摘み本体３１が倒されていることで押したり引っ掛けたりすることができない上に、針金は、カラー１６の周側壁に阻まれて摘み本体３１に当たることさえもない。このように、２重に不正解錠を防ぐことが可能となる。
【００４３】
また、この手段を実現させるために新たな部品等を使用することがないので、コストもかからない。
なお、従来の傾倒可能でない摘みの場合には、摘みを取り囲む位置までカラー１６の周側壁を延出して形成してもよい。
【００４４】
次に、上記第１実施例の変形例について説明する。
図１２は、サムターン装置に設けられる摘みの変形例を示す図であり、（ａ）は、摘み４５を起立させた状態の図であり、（ｂ）は、摘み４５を傾倒させた状態の図である。なお、外筒１１、リング体１１Ｂ、サムターン軸１４先端側の構成などは、上記第１実施例と同様であるので、以下、上記第１実施例と異なる部分を中心に説明する。
【００４５】
図１２に示すように、サムターン軸１４の基端部（室内側端部）には、略円板状に拡径したフランジ部１４ｅが形成されている。フランジ部１４ｅには、略半円形分さらに基端側に突出して厚肉の突部４０が形成されている。
【００４６】
突部４０は、弦部分の中央から円弧部（４０ｂ）に向けて略矩形状に切り欠かれ、凹部４０ｃが形成されている。そして、この凹部４０ｃの両端部、つまり突部４０の弦部分の両端部が、一対の軸受部４１，４１となるように形成される。
【００４７】
フランジ部１４ｅの前記突部４０が形成されていない部分には、摘み４５が配置される。摘み４５は、フランジ部１４ｅと同径若しくはやや小径の円弧状部４６ａを備える摘み本体４６と、前記軸受部４１，４１間に差し込み可能な摘み差込部４７とが一体形成された形状である。
【００４８】
摘み４５は、摘み差込部４７が軸受部４１，４１間に差し込まれて、各軸受部４１，４１との間でピン４３を介して枢支され、突部４０に取り付けられる。これにより、摘み４５は、ピン４３を軸として回動可能であり、フランジ部１４ｅひいてはサムターン軸１４に対して傾倒可能に取り付けられる。なお、摘み差込部４７の先端部は、その厚さ方向両端部において略円弧状に面取りされている。
【００４９】
摘み４５を傾倒させてフランジ部１４ｅに重ね合わせた際、突部４０の基端側端面４０ａと摘み４５を傾倒した際に基端側となる摘み面４５ａとは略面一になる。また、フランジ部１４ｅの外周面内に、摘み４５の円弧状部４６ａが収納される。
【００５０】
なお、図示例では、摘み４５を傾倒させてフランジ部１４ｅに重ね合わせた状態において、フランジ部１４ｅの外周面、突部４０の外周面４０ｂ、摘み４５の円弧状部４６ａからなる外周部は、連続した円を描くように形成され、基端側（室内側）に行くに従って、わずかに縮径したテーパ面に形成されている（図１２（ｂ））。一方、摘み４５を起立させた状態では、摘み４５の前記摘み面４５ａが、突部４０の弦部分に当接する。
【００５１】
図１２（ｂ）に示すように、摘み４５を傾倒させた状態では、摘み４５は、フランジ部１４ｅの外周及び突部４０の基端面４０ａで規定される空間に収納されるので、突部４０とフランジ部１４ｅの外周によって針金などの動きが制限されることとなり、不正解錠防止の効果が得られる。
【００５２】
また、摘み４５を傾倒させた状態において、摘み４５がフランジ部１４ｅの基端面１４３と当接した状態で重ね合わされ、摘み４５とフランジ部１４ｅとの間に隙間が生じないように形成することによって、さらに針金等で摘み４５を引っ掛ける部分がなくなり、摘み４５を起立させて回動させることが難しくなり不正解錠を防ぐ効果がより高まる。摘み４５を傾倒させた状態で、フランジ部１４ｅ、突部４０、摘み４５の外周を、全体として連続した略円形状とした場合は、針金等が引っかかる場所が一層少なくなり、不正解錠の防止効果がさらに高まる。
【００５３】
また、施錠状態において、突部４０が戸先側に配置されるようにすることで、上述したカラー１６を延出したものと同じ効果を得ることができ。つまり、針金等により不正解錠しようとしても、針金は、突部４０に阻まれて摘み４５に当たることがないので、不正解錠をより一層防止することが可能となる。
【００５４】
次に、本発明の扉錠とそのサムターン装置の第２実施例について説明する。
図１３は、本実施例の扉錠を示す図であり、扉錠を戸先側から見た側面図であり、図１４は、図１３の扉錠を室内側から見た正面図である。また、図１５は、図１３の一部を省略した縦断面図である。
【００５５】
本実施例における外筒１１、リング体１１Ｂ、サムターン軸１４の先端側の構成などは、上記第１実施例と同様であるので、以下、上記実施例と異なる部分を中心に説明する。また、第１実施例と同じ部分には、同一の符号を付して説明する。
【００５６】
図１５に示すように、サムターン軸１４は、リング体１１Ｂから延出して第１拡径部１４１が形成され、さらに第２拡径部１４２が形成されている。
第２拡径部１４２には、軸方向に沿って貫通穴１４２ａが形成されている。この貫通穴１４２ａは、例えば丸穴とされ、直径方向に、かつ軸心から等距離の位置に２個形成されている。
【００５７】
サムターン軸１４の内、リング体１１Ｂと第１拡径部１４１との間、すなわちリング体１１Ｂと第１拡径部１４１との間にできる溝には、略円板状（ドーナツ板状）のクラッチ部材７０が設けられる。クラッチ部材７０の中央部には、サムターン軸１４が通される穴７１が形成されている。
【００５８】
また、クラッチ部材７０は、中央部の穴７１の外周部において室内側（サムターン軸１４の基端側）に突出して段付部７２が形成されている。その段付部７２は、バネ座７２とされる。
【００５９】
クラッチ部材７０とサムターン軸１４とは、一体回動可能に固定されている。本実施例では、例えばクラッチ部材７０とサムターン軸１４とが互いにスプライン嵌合されている。つまり、クラッチ部材７０の中央部の穴７１には、径方向外側に向かって凹部７１ａが形成されており、サムターン軸１４には、径方向外側に前記凹部に適合した凸部１４ｄが形成されている。そして、この凸部１４ｄと凹部７１ａがはまり合うことでクラッチ部材７０とサムターン軸１４とが一体回動可能となる。
【００６０】
クラッチ部材７０の室内側端面の外周部には、後述する摘み（８０）に形成された係合部（８３）と係脱可能な被係合部７３が形成されている。本実施例において、この被係合部７３は、例えば平歯７３とされる。
【００６１】
また、クラッチ部材７０には、第２拡径部１４２の貫通穴１４２ａに対応した位置に、その厚さ方向に沿って貫通穴７０ａが形成されている。この貫通穴７０ａは、例えば丸穴とされ、直径方向に、かつ軸心から等距離の位置に２個形成されている。
【００６２】
第１拡径部１４１には、片端面のみが開放された略有底筒状の摘み８０が、その開放端側を扉側（室外側）に向けて取り付けられる。
また、摘み８０は、サムターン軸１４の第１拡径部１４１に対して相対回動可能に取り付けられている。
【００６３】
摘み８０の他端面に形成された閉塞壁（底壁）８１の中央部には、第１拡径部１４１が差し込まれる段付穴８２が形成されている。段付穴８２の内、小径部８２ａに第１拡径部１４１が差し込まれ、段付部は、バネ座８２ｂとされる。
【００６４】
摘み８０の内径は、カラー１６の外径に適合している。そして、摘み８０は、カラー１６の周側面および室内側開放端部を覆うように、第１拡径部１４１に外嵌して取り付けられる。
【００６５】
また、摘み８０は、その閉塞壁８１の室内側端面の周端部から室内側へ筒状に延出して形成されている。この延出部８４の内径は、第２拡径部１４２の外径に適合しており、この延出部８４は、第２拡径部１４２を収容する。
【００６６】
閉塞壁８１の扉側端面には、外周側の領域に、クラッチ部材７０に形成された被係合部と適合する係合部が形成されている。この係合部は、クラッチ部材７０の被係合部である平歯７３に適合した平歯８３とされる。
【００６７】
また、閉塞壁８１には、第２拡径部１４２及びクラッチ部材７０の貫通穴１４２ａ，７０ａに対応した位置に、その厚さ方向に沿って貫通穴８１ａが形成されている。この貫通穴８１ａは、例えば丸穴とされ、直径方向に２個形成されている。
【００６８】
摘み８０の閉塞壁８１に形成されたバネ座８２ｂと、クラッチ部材７０のバネ座７２に、サムターン軸１４に通されたバネ９０の各端部が保持される。
これにより、通常時は、バネ９０の付勢力によりクラッチ部材７０に対し摘み８０は離間する方向に付勢されており、各平歯７３，８３は係合していない。
【００６９】
クラッチ部材７０と摘み８０が離間した状態から、手で摘み８０を扉側（室外側）に押し込むと、バネ９０が圧縮されてクラッチ部材７０と摘み８０とは近接する。そして、クラッチ部材７０の平歯７３と摘み８０の平歯８３とが互いに噛み合い係合する。この状態で摘み８０を回動させると、それに伴い平歯７３，８３を介してクラッチ部材７０が回動する。そして、クラッチ部材７０の回動に伴い、サムターン軸１４も一体回動する。このようにして、デッドボルト３が進退し、扉１００の施解錠が行われる。
【００７０】
扉１００の施解錠が済んで摘み８０から手を離せば、摘み８０は、バネ９０の付勢力によりクラッチ部材７０から自動的に元の離間した位置に戻る。
【００７１】
クラッチ部材７０、摘み８０の閉塞壁８１及び第２拡径部１４２に形成された貫通穴７０ａ，８１ａ，１４２ａは同径であり、さらに同軸上に位置するよう形成されている。なお、上述したように、摘み８０は、サムターン軸１４に対して相対回動可能である。
【００７２】
また、リング体１１Ｂの室内側端面には、前記各貫通穴７０ａ，１４２ａに対応した位置に、施錠状態又は解錠状態を示す為の印９２が付されている。この印９２は、例えば、「開」や「閉」の文字、若しくは赤や青で塗りつぶされた円などである。
そして、この印９２は、リング体１１Ｂの室内側端面に４ヶ所付されている。なお、第２拡径部１４２に、施解錠の表示を確認する為の貫通穴１４２ａを１個のみ設けた場合は、この印９２は、２ヶ所でよい。
【００７３】
さらには、この印９２は、リング体１１Ｂの室内側端面の直交する直径方向に、かつ軸心から等距離の位置に付されており、一方の直径方向に一対の印、例えば「開」の文字が付されており、他方の直径方向に前記印と異なる一対の印、例えば「閉」の文字が付されている。
【００７４】
操作者は、クラッチ部材７０の貫通穴７０ａを介して、印９２を確認することができ、自分の行う操作が施錠操作若しくは解錠操作であるかを判断することができる。
【００７５】
この第２実施例の扉錠とそのサムターン装置によれば、摘み８０を略筒状としているので、針金等で不正に回動させようとしても、摘み８０は空転するだけでサムターン軸１４を回動させることができない。さらに、摘み８０の係合部８３とクラッチ部材７０の被係合部７３を備えたクラッチ機構を採用しているので、摘み８０を押し込んで回動させないと施解錠できない。よって、針金等による不正解錠が完全に防止される。
【００７６】
なお、本発明の扉錠とそのサムターン装置は、上記実施例の構成に限らず、適宜変更可能である。例えば、上記第１実施例において、摘み３０に球２４をバネ２２の付勢力により当接させる構成を示したが、球２４とバネ２２とはなくても構わない。この場合、摘み３０は、ピン２６に揺動可能に保持される。
また、上記第２実施例の摘み８０は、略筒状であったが、クラッチ機構を備えれば摘みの形状は特に限定されず、第１実施例のような略凸形状として、押して回動させるようにしても構わない。
【００７７】
【発明の効果】
以上詳述したように、本発明の扉錠とそのサムターン装置によれば、針金や紐等の不正解錠手段によって、サムターン装置のサムターン軸を解錠方向に回動させることができず不正解錠できない。
【図面の簡単な説明】
【図１】本発明の扉錠とそのサムターン装置の第１実施例を示す図であり、扉錠の縦断面図である。
【図２】図１の扉錠を戸先側から見た側面図である。
【図３】図２の扉錠を室内側から見た正面図である。
【図４】図２の扉錠の縦断面図であり、扉の厚さ方向に沿った面で切断した状態を示している。
【図５】本発明のサムターン装置に設けられる摘みの構造を示す分解斜視図である。
【図６】フランジ部に摘みを取り付けた状態を示す一部断面図であり、（ａ）は、摘みを起立させた状態を示す図であり、（ｂ）は、摘みを倒した状態を示す図である。
【図７】図２の状態から摘みを回動させて施錠した状態を示す図である。
【図８】図７を室内側から見た正面図である。
【図９】図７の状態から摘みを傾倒させた状態を示す図である。
【図１０】図９を室内側から見た正面図である。
【図１１】カラーが摘みまで延出した状態を示す図であり、（ａ）は、摘み本体が起立している状態を示す側面図であり、（ｂ）は、摘み本体が傾倒している状態を示す側面図である。
【図１２】本発明の扉錠とそのサムターン装置の第１実施例の変形例であり、（ａ）は、摘みを起立させた状態の図であり、（ｂ）は、摘みを傾倒させた状態の図である。
【図１３】本発明の扉錠とそのサムターン装置の第２実施例を示す図であり、扉錠を戸先側から見た側面図である。
【図１４】図１３の扉錠を室内側から見た正面図である。
【図１５】図１３の一部を省略した縦断面図である。
【符号の説明】
１  扉錠
２  錠ケース
２ａ  側壁
２ｂ  案内孔
３  デッドボルト
３ａ  ピン
３ｂ  被係合部
４  ハブ
４ａ  係合部
４ｂ  ハブ孔
５  クリックモーション用バネ
６  ハブ取付部材
７  フロント裏板
８  フロント板
９ａ  錠ケース取付ネジ
９ｂ  フロント取付ネジ
１０  サムターン装置
１１  外筒
１１Ａ  外筒主体
１１Ｂ  リング体
１２  サムターン軸嵌挿孔
１３  ネジ
１４  サムターン軸
１４ａ  先端部
１４ｂ  フランジ部
１４ｃ  凹部
１４ｅ  フランジ部
１６  カラー
１７  係止部材
２０  軸受突部
２０ａ  軸受穴
２２  バネ
２４  係止部材（球）
２６  ピン
３０  摘み
３１  摘み本体
３２  摘み差込部
３２ａ  穴
３２ｂ  凹部
４０  突部
４０ａ  基端側端面
４０ｂ  外周面
４０ｃ  凹部
４１  軸受部
４５  摘み
４５ａ  摘み面
４６  摘み本体
４６ａ  円弧状部
４７  摘み差込部
５０  シリンダー
５１  内筒
５２  鍵孔
５３  外筒
５４  カラー
５５  下ピン孔
５６  上ピン孔
５７  下ピン
５８  上ピン
５９  ピンバネ
６０  操作杆
７０  クラッチ部材
７０ａ  貫通穴
７１  穴
７２  バネ座（段付部）
７３  平歯（被係合部）
８０  摘み
８１  閉塞壁（底壁）
８１ａ  貫通穴
８２  穴
８２ａ  小径部
８２ｂ  バネ座（段付部）
８３  平歯（係合部）
８４  延出部
９０  バネ
９２  印
１００  扉
１０１  取付孔
１４１  第１拡径部
１４２  第２拡径部
１４２ａ  貫通穴
【図１】
2004162257.tif 000003
【図２】
2004162257.tif 000004
【図３】
2004162257.tif 000005
【図４】
2004162257.tif 000006
【図５】
2004162257.tif 000007
【図６】
2004162257.tif 000008
【図７】
2004162257.tif 000009
【図８】
2004162257.tif 000010
【図９】
2004162257.tif 000011
【図１０】
2004162257.tif 000012
【図１１】
2004162257.tif 000013
【図１２】
2004162257.tif 000014
【図１３】
2004162257.tif 000015
【図１４】
2004162257.tif 000016
【図１５】
2004162257.tif 000017